【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
伝達情報を、乗物によって輸送されている装置に、及び乗物によって輸送されている装置から提供する方法であって、
地上の場所に配置されたハイブリッド伝達情報分配器において、装置へ送達されるべき第１コンテンツを取得するステップであって、上記装置は、乗物によって一時的に輸送されている携帯型コンピューティング装置である、ステップと、
上記第１コンテンツを取得することに応答して、上記ハイブリッド伝達情報分配器によって、第１周波数帯域によってサポートされる第１通信リンクに含まれる順方向リンクを使用して、順方向伝送が、上記乗物へ送信されることを引き起こすステップであって、上記順方向伝送は、（ｉ）上記第１コンテンツ及び（ｉｉ）上記装置の指示を含む、ステップと、
上記ハイブリッド伝達情報分配器によって、上記乗物から逆方向リンクを介して受信されるフィードバック情報に基づいて、続いて起こる順方向伝送を上記乗物へ送達するための、上記第１通信リンク又は第２通信リンクのうちの１つを選択するステップであって、上記第２通信リンクは、第２周波数帯域によってサポートされる双方向性通信リンクであり、上記続いて起こる順方向伝送は、上記装置へ、又は上記乗物によって輸送されている別の装置へ送達されるべき第２コンテンツを含む、ステップと、
上記ハイブリッド伝達情報分配器によって、上記続いて起こる順方向伝送が、上記選択された通信リンクを使用して、上記乗物へ送信されることを引き起こすステップと、
を備える、方法。
【請求項２】
請求項１に記載の方法であって、
上記乗物は特定の乗物であり、且つ、
上記順方向伝送が、上記特定の乗物へ送信されることを引き起こすステップは、上記順方向伝送が、複数の乗物にマルチキャストされることを引き起こすことを含み、上記複数の乗物は上記特定の乗物を含む、方法。
【請求項３】
請求項２に記載の方法であって、
上記第１コンテンツが送達されるべき上記装置は、特定の装置であり、且つ、
上記順方向伝送が上記複数の乗物にマルチキャストされることを引き起こすステップは、
上記順方向伝送が、複数の装置を輸送する上記複数の乗物にマルチキャストされることを引き起こすことと、
上記第１コンテンツが、上記特定の装置へのみ送達されることを引き起こすことと、
を備え、上記複数の装置は上記特定の装置を含む、方法。
【請求項４】
請求項１に記載の方法であって、
上記フィードバック情報を受信するステップは、上記フィードバック情報を含むユニキャスト伝送を受信することを備える、方法。
【請求項５】
請求項１に記載の方法であって、
上記フィードバック情報に基づいて、上記第１通信リンク又は上記第２通信リンクのうちの上記１つを選択するステップは、上記順方向リンクの品質の指示に基づいて、上記第１通信リンク又は上記第２通信リンクのうちの上記１つを選択することを備える、方法。
【請求項６】
請求項５に記載の方法であって、
上記第１通信リンク又は上記第２通信リンクのうちの上記１つを選択するステップは、更に上記第２コンテンツに含まれるデータのタイプに基づいて、上記第１通信リンク又は上記第２通信リンクのうちの上記１つを選択することを備える、方法。
【請求項７】
請求項１に記載の方法であって、
（ｉ）上記順方向伝送が上記乗物へ送信されることを引き起こすステップは、上記乗物が飛行している間に、上記順方向伝送が上記乗物へ送信されることを引き起こすことを備える、又は、
（ｉｉ）上記続いて起こる順方向伝送が、上記乗物へ送信されることを引き起こすステップは、上記乗物が飛行している間に、上記続いて起こる順方向伝送が上記乗物へ送信されることを引き起こすことを備える、
ことの少なくとも１つを満たす、方法。
【請求項８】
請求項１に記載の方法であって、
（ｉ）上記第１周波数帯域によってサポートされる上記第１通信リンクに含まれる上記順方向リンクを使用して、上記順方向伝送が上記乗物へ送信されることを引き起こすステップは、Ｌ帯域通信リンク、Ｋu帯域通信リンク、Ｋa通信リンク、Ｗｉ−Ｆｉ通信リンク、ＷｉＭＡＸ通信リンク、ＬＴＥ（長期進化）通信リンク、１つ以上の衛星と情報を伝達するように構成された通信リンク、無線ブロードバンドプロトコルをサポートする通信リンクの、少なくとも１つの順方向リンクを使用して、上記順方向伝送が上記乗物へ送信されることを引き起こすことを備える、又は、
（ｉｉ）上記第２周波数帯域によってサポートされる上記第２通信リンクに含まれる上記逆方向リンクを介して、上記フィードバック情報を受信するステップは、上記乗物が飛行している間に、上記乗物へ、及び上記乗物からデータを送達するように構成される空対地（ＡＴＧ）通信リンクの逆方向リンクを介して、上記フィードバック情報を受信することを備える、
ことの少なくとも１つを満たす方法。
【請求項９】
請求項１に記載の方法であって、上記第１周波数帯域又は上記第２周波数帯域のうち少なくとも１つが２．４ＧＨｚの周波数帯を含む、該方法。
【請求項１０】
乗物によって輸送されている装置と通信するためのハイブリッド通信システムであって、
上記ハイブリッド通信システムは、
複数の順方向リンクを介して、乗物と通信可能に接続されるハイブリッド伝達情報分配器を備え、上記複数の順方向リンクの各順方向リンクは、異なるそれぞれの無線通信プロトコルを使用し、
上記ハイブリッド伝達情報分配器は、１つ以上のプロセッサと、コンピュータ実行可能な命令を格納する、１つ以上の非一時的な、有形のコンピュータ可読な格納媒体とを含み、
上記コンピュータ実行可能な命令は、上記１つ以上のプロセッサによって実行される場合、
上記ハイブリッド伝達情報分配器に以下の動作を引き起こさせる、該システム：
乗物によって輸送されている装置へ送達されるべき第１コンテンツを取得すること、
第１コンテンツを取得することに応答して、順方向伝送が、上記複数の順方向リンクの特定の順方向リンクを使用して、上記乗物へ送信されることであって、上記特定の順方向リンクは第１通信リンクに含まれ、且つ上記順方向伝送は、（ｉ）上記第１コンテンツと、（ｉｉ）上記装置の指示とを含む、該送信されること、
逆方向リンクを介して上記乗物から受信したフィードバック情報に基づいて、続いて起こる順方向伝送を送達するための上記複数の順方向リンクの１つを選択することであって、上記続いて起こる順方向伝送は、上記装置へ、又は上記乗物によって輸送されている別の装置へ送達されるべき第２コンテンツを含む、該選択すること、並びに、
上記続いて起こる順方向伝送が、上記選択された順方向リンクを使用して、上記乗物へ送信されること。
【請求項１１】
請求項１０に記載のハイブリッド通信システムであって、
上記順方向伝送は、上記乗物が含まれる複数の乗物へマルチキャストされ、
上記装置は、上記複数の乗物によって輸送されている複数の装置に含まれ、且つ、
上記装置は、上記第１コンテンツが送達されるべき上記複数の装置のただ１つの装置である、ハイブリッド通信システム。
【請求項１２】
請求項１０に記載のハイブリッド通信システムであって、上記フィードバック情報は、
上記順方向伝送の受信通知、
上記順方向伝送が受信されなかったという通知、又は、
上記順方向リンクの伝送品質の通知、
の少なくとも１つに対応するデータを含む、ハイブリッド通信システム。
【請求項１３】
請求項１０に記載のハイブリッド通信システムであって、
上記第１通信リンクは、
Ｌ帯域通信リンク、
Ｋu帯域通信リンク、
Ｋa帯域通信リンク、
Ｗｉ−Ｆｉ通信リンク、
ＷｉＭＡＸ通信リンク、
ＬＴＥ（長期進化）通信リンク、
衛星と通信するための通信リンク、又は、
無線ブロードバンド通信プロトコルをサポートする通信リンク、
の少なくとも１つを含む、ハイブリッド通信システム。
【請求項１４】
請求項１０に記載のハイブリッド通信システムであって、
第２通信リンクを更に含み、
上記第２通信リンクは、上記乗物によって使用される双方向性通信リンクであり、
上記双方向性通信リンクは、逆方向リンク及び、上記複数の順方向リンクに含まれるアクティブな順方向リンクを含み、且つ、
上記第１通信リンクは、上記乗物によって使用される一方向性通信リンクである、又は、
上記第１通信リンクは、上記乗物によって使用されない逆方向リンクを含む、
ことの１つを満たす、ハイブリッド通信システム。
【請求項１５】
請求項１４に記載のハイブリッド通信システムであって、
上記第１通信リンクは、ブロードバンド通信に対して割り当てられた第１周波数帯域によってサポートされ、且つ、上記第２通信リンクは、上記第１周波数とは異なる第２周波数帯域によってサポートされ、且つ飛行中の乗物と地上ステーションとの間の直接通信に対して割り当てられた空対地通信リンクである、ハイブリッド通信システム。
【請求項１６】
請求項１０に記載のハイブリッド通信システムであって、
上記選択された順方向リンクは、（ｉ）第１無線プロトコルを使用し、且つ第１周波数帯域によってサポートされる上記第１通信リンクに含まれる上記順方向リンク、（ｉｉ）第２無線プロトコルを使用し、且つ第２周波数帯域によってサポートされる上記第２通信リンクに含まれる順方向リンク、又は（ｉｉｉ）第３無線プロトコルを使用し、且つ第３周波数帯域によってサポートされる第３通信リンクに含まれる順方向リンク、のいずれか１つである、ハイブリッド通信システム。
【請求項１７】
請求項１０に記載のハイブリッド通信システムであって、上記特定の順方向リンク、上記逆方向リンク、または上記選択された順方向リンクのうち少なくとも１つは、ＬＴＥ（長期進化）通信リンクである、該システム。
【請求項１８】
乗物によって輸送されている装置へ、及び乗物によって輸送されている装置から、伝達情報を提供する方法であって、
飛行中である乗物に固定的に接続されたハイブリッド伝達情報収集器において、装置へ送達されるべき第１コンテンツを含む順方向伝送を受信するステップであって、上記装置は、上記飛行中の乗物によって一時的に輸送されている携帯型コンピューティング装置であり、且つ上記順方向伝送は、第１周波数帯域によってサポートされる第１無線通信リンクに含まれる第１順方向リンクを介して、上記飛行中の乗物において受信され、複数の順方向リンクに含まれる上記第１順方向リンクは、上記飛行中の乗物にデータを無線で送達するように構成される、ステップと、
上記ハイブリッド伝達情報収集器によって、上記第１コンテンツが、上記飛行中の乗物内に収容された無線ネットワークを使用して、上記装置へ送信されることを引き起こすステップと、
上記ハイブリッド伝達情報収集器によって、フィードバック情報が、第２周波数帯域によってサポートされる第２無線通信リンクに含まれる逆方向リンクを使用して、上記飛行中の乗物から送信されることを引き起こすステップと、
上記ハイブリッド伝達情報収集器において、上記装置へ、又は上記飛行中の乗物によって輸送されている別の装置へ送達されるべき第２コンテンツを含む、続いて起こる順方向伝送を受信するステップであって、上記続いて起こる順方向伝送は、上記複数の順方向リンクに含まれる選択された順方向リンクを介して、上記飛行中の乗物において受信され、且つ上記選択された順方向リンクは、上記フィードバック情報に基づいて、別のコントローラによって、上記複数の順方向リンクから選択される、ステップと、
上記第２コンテンツが、上記飛行中の乗物内に収容された無線ネットワークを使用して、上記装置へ、又は別の装置へ送信されることを引き起こすステップと、
を備える、方法。
【請求項１９】
請求項１８に記載の方法であって、
上記フィードバック情報が、上記飛行中の乗物から送信されることを引き起こすステップは、以下の少なくとも１つに対応するフィードバック情報が、上記飛行中の乗物から送信されることを引き起こすことを備える、該方法：
上記順方向伝送、
上記第１コンテンツ、
期待されるコンテンツの受信の欠如、
期待されていないコンテンツの受信、
上記第１無線通信リンクに含まれる上記順方向リンクの伝送の品質、又は、
上記第２無線通信リンクの伝送の品質。
【請求項２０】
請求項１８に記載の方法であって、
上記飛行中の乗物は、複数の飛行中の乗物に含まれ、
上記装置は、上記複数の飛行中の乗物によって輸送されている複数の装置に含まれ、上記装置は、上記第１コンテンツが送達されるべき上記複数の装置の中のただ１つの装置であり、
上記飛行中の乗物において、第１コンテンツを含む上記順方向伝送を受信するステップは、上記飛行中の乗物において、上記第１コンテンツを含み、且つ上記複数の飛行中の乗物に対するマルチキャスト伝送である順方向伝送を受信することを備え、且つ、
上記フィードバック情報が上記飛行中の乗物から送信されることを引き起こすステップは、上記フィードバックが、ユニキャスト伝送において、上記飛行中の乗物から送信されることを引き起こすことを備える、方法。
【請求項２１】
請求項１８に記載の方法であって、以下のうち少なくとも１つを満たす、該方法：
上記第１順方向リンク、上記逆方向リンク、または上記選択された順方向リンクのうち少なくとも１つは、ＬＴＥ（長期進化）通信リンクであること；又は
上記第１順方向リンク、上記逆方向リンク、または上記選択された順方向リンクのうち少なくとも１つは、２．４ＧＨｚの周波数帯で実装されること。
【請求項２２】
請求項１８に記載の方法であって、上記方法が少なくとも以下のうち１つのステップを更に含む、該方法：
上記ハイブリッド伝達情報収集器が、上記第１無線通信リンクを、受信専用リンクとして使用するステップ；又は
上記ハイブリッド伝達情報収集器が、上記第２無線通信リンクを、双方向性通信リンクとして使用するステップ。